【手続補正書】
【提出日】平成28年1月8日(2016.1.8)
【手続補正１】
【補正対象書類名】特許請求の範囲
【補正対象項目名】全文
【補正方法】変更
【補正の内容】
【特許請求の範囲】
【請求項１】
光通信における複数のチャンネルに対応した複数のレンズが、第１の面に２次元状に形成されるレンズ基板と、
前記レンズ基板の前記第１の面とは逆側の面である第２の面に対向して配置され、複数の前記レンズの各々に対応する位置に光ファイバが挿通される貫通孔が設けられるフェルールと、
を備え、
前記レンズ基板又は前記フェルールの、少なくとも対向面に垂直な方向に所定の長さの領域は、当該対向面と平行な面内において行方向又は列方向に複数の領域に分割され、
当該複数の領域の各々の両端部が、ピンを介して前記対向面に対して固定されることにより、前記レンズ基板と前記フェルールとが接続される、
光通信デバイス。
【請求項２】
前記フェルールが、前記対向面と平行な面内において行方向又は列方向に複数のフェルール部材に分割される、
請求項１に記載の光通信デバイス。
【請求項３】
前記レンズ基板の前記対向面には、前記フェルール部材の各々の両端部に嵌合することにより前記フェルール部材と前記レンズ基板とを接続させるボス部が形成され、
前記ボス部は前記レンズと一体成型される、
請求項２に記載の光通信デバイス。
【請求項４】
複数の前記フェルール部材は、互いに接触しないように、前記レンズ基板に接続される、
請求項２又は３に記載の光通信デバイス。
【請求項５】
前記フェルール部材は、前記フェルール部材の前記対向面に垂直な方向に対する前記フェルール部材の配列方向への傾きが、前記フェルール部材の前記対向面に垂直な方向の長さと前記フェルール部材間の距離とのタンジェントによって規定される角度以下となるように、前記レンズ基板に接続される、
請求項４に記載の光通信デバイス。
【請求項６】
前記フェルールの前記対向面とは逆側の面に設けられ、複数の前記フェルール部材に架設される棒状の支持部材、を更に備える、
請求項２〜５のいずれか１項に記載の光通信デバイス。
【請求項７】
複数の前記フェルール部材の間に設けられる支持部材、を更に備える、
請求項２〜６のいずれか１項に記載の光通信デバイス。
【請求項８】
前記フェルールは、前記対向面と平行な面内における一部領域が接続されており、
前記対向面に垂直な方向に所定の長さの領域のみが、当該対向面と平行な面内において行方向又は列方向に複数の領域に分割される、
請求項１に記載の光通信デバイス。
【請求項９】
前記レンズ基板が、前記対向面と平行な面内において行方向又は列方向に複数のレンズ部材に分割される、
請求項１に記載の光通信デバイス。
【請求項１０】
前記レンズ及び前記貫通孔は、１行又は１列に１２個ずつ並べられて形成され、
前記レンズ基板又は前記フェルールは、分割後の各領域が前記レンズ又は前記貫通孔が１２個ずつ並べられた行又は列をそれぞれ含むように分割される、
請求項１〜９のいずれか１項に記載の光通信デバイス。
【請求項１１】
前記レンズ基板は、少なくとも２つの互いに異なる樹脂系材料を用いた、多色成型によって形成される、
請求項１〜１０のいずれか１項に記載の光通信デバイス。
【請求項１２】
前記レンズ基板のうち、前記レンズが形成される領域と、前記レンズが形成される領域以外の領域であって前記フェルールと接触する領域とは、互いに異なる材料によって形成される、
請求項１〜１１のいずれか１項に記載の光通信デバイス。
【請求項１３】
前記フェルールは樹脂系材料によって形成される、
請求項１〜１２のいずれか１項に記載の光通信デバイス。
【請求項１４】
前記レンズ基板及び前記フェルールは、ガラス系材料によって形成される、
請求項１〜１０のいずれか１項に記載の光通信デバイス。
【請求項１５】
前記フェルールは、感光性ガラス材料によって形成される、
請求項１４に記載の光通信デバイス。
【請求項１６】
前記フェルールの前記貫通孔は、エッチング、サンドブラスト及びレーザ照射のいずれかの加工方法によって形成される、
請求項１４に記載の光通信デバイス。
【請求項１７】
前記光通信デバイスは、前記レンズ基板に形成される複数の前記レンズが、光通信用の入出力を行うモジュールにおける光の入出力面に設けられる他のレンズと対向するように、当該モジュールと接続される、
請求項１〜１６のいずれか１項に記載の光通信デバイス。
【請求項１８】
光通信における複数のチャンネルに対応した複数のレンズが、第１の面に２次元状に形成されるレンズ基板と、
前記レンズ基板の前記第１の面とは逆側の面である第２の面に対向して配置され、複数の前記レンズの各々に対応する位置に光ファイバが挿通される貫通孔が設けられるフェルールと、
を有する、光通信デバイス、を備え、
前記光通信デバイスにおいては、前記レンズ基板又は前記フェルールの、少なくとも対向面に垂直な方向に所定の長さの領域は、当該対向面と平行な面内において行方向又は列方向に複数の領域に分割され、当該複数の領域の各々の少なくとも両端部分が、ピンを介して前記対向面に固定されることにより、前記レンズ基板と前記フェルールとが接続されており、
前記光通信デバイスを介して、任意の装置に対して所定の情報が重畳された光を送信する、送信装置。
【請求項１９】
光通信における複数のチャンネルに対応した複数のレンズが、第１の面に２次元状に形成されるレンズ基板と、
前記レンズ基板の前記第１の面とは逆側の面である第２の面に対向して配置され、複数の前記レンズの各々に対応する位置に光ファイバが挿通される貫通孔が設けられるフェルールと、
を有する、光通信デバイス、を備え、
前記光通信デバイスにおいては、前記レンズ基板又は前記フェルールの、少なくとも対向面に垂直な方向に所定の長さの領域は、当該対向面と平行な面内において行方向又は列方向に複数の領域に分割され、当該複数の領域の各々の少なくとも両端部分が、ピンを介して前記対向面に固定されることにより、前記レンズ基板と前記フェルールとが接続されており、
前記光通信デバイスを介して、任意の装置から送信される所定の情報が重畳された光を受信する、受信装置。
【請求項２０】
光通信における複数のチャンネルに対応した複数のレンズが、第１の面に２次元状に形成されるレンズ基板と、
前記レンズ基板の前記第１の面とは逆側の面である第２の面に対向して配置され、複数の前記レンズの各々に対応する位置に光ファイバが挿通される貫通孔が設けられるフェルールと、
を有する、光通信デバイス、を備え、当該光通信デバイスを介して、任意の装置に対して所定の情報が重畳された光を送信する、送信装置と、
前記光通信デバイスを備え、当該光通信デバイスを介して、前記送信装置から送信される前記光を受信する、受信装置と、
を備え、
前記光通信デバイスにおいて、前記レンズ基板又は前記フェルールの、少なくとも対向面に垂直な方向に所定の長さの領域は、当該対向面と平行な面内において行方向又は列方向に複数の領域に分割され、当該複数の領域の各々の少なくとも両端部分が、ピンを介して前記対向面に固定されることにより、前記レンズ基板と前記フェルールとが接続される、
送受信システム。
【手続補正２】
【補正対象書類名】明細書
【補正対象項目名】００１８
【補正方法】変更
【補正の内容】
【００１８】
なお、説明は以下の順序で行うものとする。
１．本開示の一実施形態
１−１．光通信デバイス及び光通信モジュールの構成
１−２．光通信デバイスの構成
２．一般的なコネクタとの比較
３．変形例
３−１．フェルール部材の変形を抑制するための支持部材が追加される変形例
３−２．フェルール部材の一部が互いに接続されている変形例
３−３．レンズ基板が複数の部材に分割される変形例
３−４．レンズ基板が複数の材料によって構成される変形例
３−５．フェルールとレンズ基板とが同一の材料によって形成される変形例
４．適用例
４−１．光通信モジュール間及び装置間の光通信
４−２．光ファイバ間の接続
５．補足
【手続補正３】
【補正対象書類名】明細書
【補正対象項目名】００８６
【補正方法】変更
【補正の内容】
【００８６】
図７を参照すると、本変形例に係る光通信デバイス３０は、複数のレンズ１２１が第１の面に２次元状に形成されるレンズ基板１２０と、レンズ基板１２０の当該第１の面とは逆側の面である第２の面に対向して配置され、複数のレンズ１２１の各々に対応する位置に光ファイバが挿通される貫通孔１１２が設けられるフェルール３１０と、を備える。なお、本変形例に係る光通信デバイス３０は、図３に示す光通信デバイス１０の構成に対して、フェルール１１０に後述する支持部材３１１が追加されたものに対応する。その他の構成は光通信デバイス１０と同様であるため、重複する事項についてはその詳細な説明を省略する。
【手続補正４】
【補正対象書類名】明細書
【補正対象項目名】００８７
【補正方法】変更
【補正の内容】
【００８７】
図７に示すように、本変形例に係るフェルール３１０は、行方向に分割された複数のフェルール部材１１１と、フェルール部材１１１の対向面とは逆側の面に設けられ、複数のフェルール部材１１１に架設される棒状の支持部材３１１と、を備える。棒状の支持部材３１１は、ｙ軸方向に延伸しており、複数のフェルール部材１１１のそれぞれに対して固定的に接続される。また、支持部材３１１は、図７に示すように、フェルール部材１１１の貫通孔１１２の行方向の配列方向における両端（すなわち、ｘ軸方向における両端）に、１つずつ設けられてよい。
【手続補正５】
【補正対象書類名】明細書
【補正対象項目名】０１０８
【補正方法】変更
【補正の内容】
【０１０８】
このように、本変形例に係る光通信デバイス６０は、図３に示す光通信デバイス１０の構成において、フェルール１１０が単一の部材によって構成され、レンズ基板１２０が行方向に複数のレンズ部材に分割された構成に対応している。本変形例のように、フェルール６１０ではなくレンズ基板６２０が分割された場合であっても、上記＜２．一般的なコネクタとの比較＞で説明した本実施形態によって奏される効果と同様の効果を得ることができる。また、上記［３−１．フェルール部材の変形を抑制するための支持部材が追加される変形例］及び上記［３−２．フェルール部材の一部が互いに接続されている変形例］では、フェルールが複数のフェルール部材に分割されている場合に対する変形例について説明したが、これらの変形例と同様の構成が、上述した複数のレンズ部材６２１に対して適用されてもよい。
【手続補正６】
【補正対象書類名】明細書
【補正対象項目名】０１１４
【補正方法】変更
【補正の内容】
【０１１４】
レンズ基板７２０は、例えば射出成型法によって形成される。射出成型法では、レンズ基板７２０の形状を有する金型に加熱して軟化した材料を所定の圧力を加えて射出し、当該金型内に当該材料を充填させることにより、当該金型の形状に応じたレンズ基板７２０が製作される。本変形例では、レンズ基板７２０は、２種類の互いに異なる材料によって構成されていることから、射出成型法の中でも、２種類の材料を用いた２色成型法が用いられる。
【手続補正７】
【補正対象書類名】明細書
【補正対象項目名】０１２１
【補正方法】変更
【補正の内容】
【０１２１】
具体的には、本変形例では、フェルール１１０の材料として感光性ガラス材料を用いる。感光性ガラス材料では、フォトマスクを用いた紫外線による露光、熱処理による露光部位の変性、変性部位のエッチング、の各処理を経ることにより、ビアを高精度に加工することができる。従って、感光性ガラス材料を用いることにより、フェルール１１０の貫通孔１１２を高精度で形成することが可能となる。
【手続補正８】
【補正対象書類名】明細書
【補正対象項目名】０１３５
【補正方法】変更
【補正の内容】
【０１３５】
送信装置１０１０が備えるプロセッサ３３１によって各種の処理が施された情報が、光電変換により電気信号から光に変換され、変換された所定の情報が重畳された光が、光通信モジュール２０から光ファイバ３４０を介して受信装置１０２０に対して送信される。受信装置１０２０では、光通信モジュール２０によって光ファイバ３４０を伝搬してきた光が受信され、光電変換により光から変換された、所定の情報が重畳された電気信号が、受信装置１０２０が備えるプロセッサ３３１に入力される。このようにして、本実施形態に係る光通信デバイスを介した送信装置１０１０及び受信装置１０２０間の光通信が実現される。